(57)【要約】【課題】窓の開口幅を小さくしたり部品点数を増加させたりすることなく、網戸設置のための位置決めを容易になすことのできるサッシを提供する。【解決手段】建物開口部に設けられ上下枠と左右の縦枠を方形状に枠組みしてなる枠体１を備え、下枠１１の室内側には床材４が配置され、下枠１１の室内側面は床材４の室外端面と対向し、下枠１１には室内端部から室内側に向かって伸びる下アングル部材１５が固定され、下アングル部材１５は、下枠１１に固定される下枠固定部１５ａと、下枠１１の室内側面と床材４の室外端面との間を渡す懸架部１５ｂと、懸架部１５ｂより室内側に伸びて床材４の上面に当接して固定される床固着部１５ｃとを有し、床固着部１５ｃと懸架部１５ｂは、連続した平面板状に形成されると共に、床固着部１５ｃには、枠体１の室内側に設けられる網戸３の下レールを構成するレール部材３１を固定自在なレール固定部１５ｄが形成される。【選択図】図４
2012214972.tif 000002
【特許請求の範囲】
【請求項１】
建物開口部に設けられ上下枠と左右の縦枠を方形状に枠組みしてなる枠体を備え、前記下枠の室内側には床材が配置されるサッシにおいて、
前記下枠の室内側面は前記床材の室外端面と対向し、前記下枠には室内端部から室内側に向かって伸びる下アングル部材が固定され、
前記下アングル部材は、前記下枠に固定される下枠固定部と、前記下枠の室内側面と床材の室外端面との間を渡す懸架部と、該懸架部より室内側に伸びて前記床材の上面に当接して固定される床固着部とを有し、該床固着部と懸架部は、連続した平面板状に形成されると共に、前記床固着部には、前記枠体の室内側に設けられる網戸の下レールを構成するレール部材を固定自在なレール固定部が形成されることを特徴とするサッシ。
【請求項２】
前記懸架部は厚肉板状に形成され、前記レール固定部は、前記床固着部の表面に前記懸架部の厚みの範囲内で凹凸が形成されてなることを特徴とする請求項１記載のサッシ。
【請求項３】
前記床固着部は、室内側部と室外側部とが軟質樹脂からなる連結部で一体化されてなると共に、該連結部で折り曲げ自在とされることを特徴とする請求項１または２記載のサッシ。
【請求項４】
前記床固着部は前記連結部の位置で前記床材に対しビス止めされることを特徴とする請求項３記載のサッシ。
【請求項５】
前記上枠と左右の縦枠には、それぞれ室内端部から室内側に向かって伸びる上アングル部と縦アングル部が設けられ、該上アングル部と縦アングル部は、前記上枠及び左右の縦枠の室内側に配置される額縁材の内面に当接して固定されると共に、室内端部が前記下アングル部材の懸架部の室内端部と室内外方向において略同位置であることを特徴とする請求項１〜４のいずれか１項に記載のサッシ。
【発明の詳細な説明】
【技術分野】
【０００１】
本発明は、建物開口部に取付けられる枠体の室内側に網戸を任意に設けることのできるサッシに関し、特に枠体の室内側に網戸レールを取付自在なアングル部材を設けたサッシに関する。
【背景技術】
【０００２】
建物開口部に設けられるサッシは、障子の開き方において様々な種類があるが、このうち、障子が室外側に向かって開放自在な外開き窓にあって網戸を設ける場合、開閉する障子と干渉しないように、網戸は枠体の室内側に配置される。サッシの室内側には、床材や額縁材が配置され、これらに網戸の開閉を案内する網戸レールあるいは網戸枠が取付けられる。
【０００３】
網戸レールや網戸枠は、建物開口部において四周に渡り、あるいは上下辺において、室内外方向に正確な位置決めをしないと、網戸を円滑に建て付けることができない。しかし、通常の枠体や床材あるいは額縁材には、位置決めの基準となるものがないため、網戸レールや網戸枠の設置はやや困難であった。このため、縦枠から室内側に向かって伸びる室内固定片の見込面に、見付方向内側に向かって伸びる位置決めの面を有したガイド部材を設け、このガイド部材を介して網戸枠を固定する構造が知られている。このような網戸の固定構造としては、例えば特許文献１に挙げるようなものがある。
【先行技術文献】
【特許文献】
【０００４】
【特許文献１】特開２０１０−５３６２６号公報
【発明の概要】
【発明が解決しようとする課題】
【０００５】
しかし、網戸枠固定のためのガイド部材を枠体に設けると、位置決めの面が見付方向内側に向かって伸びているため、その分、窓の開口幅が小さくなる。また、部品点数も多くなるという問題もある。
【０００６】
本発明は前記課題を鑑みてなされたものであり、窓の開口幅を小さくしたり部品点数を増加させたりすることなく、網戸設置のための位置決めを容易になすことのできるサッシを提供することを目的とする。
【課題を解決するための手段】
【０００７】
前記課題を解決するため、本発明に係るサッシは、建物開口部に設けられ上下枠と左右の縦枠を方形状に枠組みしてなる枠体を備え、前記下枠の室内側には床材が配置されるサッシにおいて、
前記下枠の室内側面は前記床材の室外端面と対向し、前記下枠には室内端部から室内側に向かって伸びる下アングル部材が固定され、
前記下アングル部材は、前記下枠に固定される下枠固定部と、前記下枠の室内側面と床材の室外端面との間を渡す懸架部と、該懸架部より室内側に伸びて前記床材の上面に当接して固定される床固着部とを有し、該床固着部と懸架部は、連続した平面板状に形成されると共に、前記床固着部には、前記枠体の室内側に設けられる網戸の下レールを構成するレール部材を固定自在なレール固定部が形成されることを特徴として構成されている。
【０００８】
また、本発明に係るサッシは、前記懸架部は厚肉板状に形成され、前記レール固定部は、前記床固着部の表面に前記懸架部の厚みの範囲内で凹凸が形成されてなることを特徴として構成されている。
【０００９】
さらに、本発明に係るサッシは、前記床固着部は、室内側部と室外側部とが軟質樹脂からなる連結部で一体化されてなると共に、該連結部で折り曲げ自在とされることを特徴として構成されている。
【００１０】
さらにまた、本発明に係るサッシは、前記床固着部は前記連結部の位置で前記床材に対しビス止めされることを特徴として構成されている。
【００１１】
そして、本発明に係るサッシは、前記上枠と左右の縦枠には、それぞれ室内端部から室内側に向かって伸びる上アングル部と縦アングル部が設けられ、該上アングル部と縦アングル部は、前記上枠及び左右の縦枠の室内側に配置される額縁材の内面に当接して固定されると共に、室内端部が前記下アングル部材の懸架部の室内端部と室内外方向において略同位置であることを特徴として構成されている。
【発明の効果】
【００１２】
本発明に係るサッシによれば、下枠に固定される下アングル部材は、下枠固定部と、下枠の室内側面と床材の室外端面との間を渡す懸架部と、懸架部より室内側に伸びて床材の上面に当接して固定される床固着部とを有し、床固着部と懸架部は、連続した平面板状に形成されると共に、床固着部には、枠体の室内側に設けられる網戸の下レールを構成するレール部材を固定自在なレール固定部が形成されることにより、レール部材の取付けや位置決めのための部品が必要なく、部品点数を削減することが可能であると共に、位置決めのために見付方向内側に突出する部分もないので、サッシの開口幅を狭めることもないようにすることができる。
【００１３】
また、本発明に係るサッシによれば、懸架部は厚肉板状に形成され、レール固定部は、床固着部の表面に懸架部の厚みの範囲内で凹凸が形成されてなることにより、レール部材を取付可能としたことによる段差を最低限に抑えることができ、レール部材がサッシの室内外に移動する人や車椅子の障害とならないようにすることができるので、バリアフリーに対応したサッシとすることができる。
【００１４】
さらに、本発明に係るサッシによれば、床固着部は、室内側部と室外側部とが軟質樹脂からなる連結部で一体化されてなると共に、連結部で折り曲げ自在とされることにより、下アングル部材を短く収納した状態とすることができるので、輸送効率の低下を防止することができる。また、現場において他の部材の施工を阻害しないようにすることができ、作業性を向上させることができる。
【００１５】
さらにまた、本発明に係るサッシによれば、床固着部は連結部の位置で床材に対しビス止めされることにより、連結部は軟質樹脂により形成されているので、ビスを挿通するための下孔を床固着部に形成する必要がなく、作業性をより向上させることができる。
【００１６】
そして、本発明に係るサッシによれば、上アングル部と縦アングル部は、室内端部が下アングル部材の懸架部の室内端部と室内外方向において略同位置であることにより、網戸を案内または保持するための部材を四周に渡って容易に位置決めすることができる。
【図面の簡単な説明】
【００１７】
【図１】本実施形態のサッシの正面図である。
【図２】本実施形態のサッシの縦断面図である。
【図３】本実施形態のサッシの横断面図である。
【図４】図２のうち網戸の下部付近拡大図である。
【図５】下アングル部材の断面図である。
【発明を実施するための形態】
【００１８】
本発明の実施形態について図面に沿って詳細に説明する。図１には、本実施形態のサッシの正面図を示している。この図に示すように、本実施形態のサッシは、建物開口部に設置される方形状の枠体１内に、開閉自在な障子２を納めて構成される。図１は室内側から見た図であり、障子２は折れ戸状に構成されたものが左右に２つ配置されて、それぞれ室外側に向かって開くことができる。本実施形態のサッシは、障子２が開くと、障子２の厚み分以外は枠体１の略全領域が開放状となる全開口サッシとして構成されている。また、枠体１の室内側には網戸が設置されるが、図１では省略している。
【００１９】
図２には本実施形態のサッシの縦断面図を、図３には本実施形態のサッシの横断面図を、それぞれ示している。これら各図に示すように、枠体１は、上枠１０と下枠１１及び左右の縦枠１２、１２を方形状に枠組みして構成される。下枠１１の室内側には、建物を構成する床材４が配置され、上枠１０と縦枠１２の室内側には、額縁材５が配置される。障子２は、方形状に框組みされてなる框体２０内に、ガラス板からなるパネル体２１を納めて構成される。
【００２０】
枠体１を構成する上枠１０は、金属材からなる金属上枠１０ａの室内側に樹脂材からなる樹脂上枠１０ｂを配設してなる。下枠１１は、金属材からなる金属下枠１１ａの室内側に樹脂材からなる樹脂下枠１１ｂを配設し、その室内端部には室内側に向かって伸びる下アングル部材１５が取付けられている。縦枠１２は、金属材からなる金属縦枠１２ａの室内側に樹脂材からなる樹脂縦枠１２ｂを配設してなる。
【００２１】
樹脂上枠１０ｂには、上端部近傍の室内面から室内側に向かって伸びる上アングル部１０ｃが形成されている。上アングル部１０ｃは、上辺に設けられる額縁材５の内周面に当接し、ビス止め固定される。樹脂縦枠１２ｂにも、室内面から室内側に向かって伸びる縦アングル部１２ｃが形成されており、縦アングル部１２ｃは縦辺に設けられる額縁材５の内周面に当接し、ビス止め固定される。
【００２２】
下枠１１において、樹脂下枠１１ｂは金属下枠１１ａの室内面に固着され、下枠１１の室内側面１１ｃを構成する。室内側面１１ｃの上端部には、金属下枠１１ａ側に固定部１１ｄが形成されており、この固定部１１ｄに下アングル部材１５が固定される。図１に示すように、下枠１１の室内側面１１ｃは、建物の床材４の室外端面と隙間を有して対向しており、室内側面１１ｃの上端位置は、床材４の上面位置と略同じ高さとなっている。
【００２３】
下アングル部材１５は、全体として略板状の樹脂部材からなり、室外端部に形成されて下枠１１の固定部１１ｄに対し係合固定される下枠固定部１５ａと、下枠固定部１５ａから室内側に伸びて下枠１１の室内側面１１ｃと床材４の室外側面との間を渡す懸架部１５ｂと、懸架部１５ｂより室内側に伸びて床材４の上面に当接して固定される床固着部１５ｃとが、一体形成されて構成されている。
【００２４】
下アングル部材１５を構成する懸架部１５ｂは、厚肉板状に形成されていて、サッシの室内外に移動する人や車椅子などの荷重に耐えられるようになっている。床材４に当接する床固着部１５ｃには、懸架部１５ｂから連続する平面板状に形成されているが、後述するように上面側に網戸３が設置されるため、凹凸が形成されている。床固着部１５ｃの凹凸は、懸架部１５ｂの厚みの範囲内の領域に納まるように形成されている。
【００２５】
金属下枠１１ａには、室内側の部分に室内凹部１１ｇが形成され、その室外側には突起状の回転保持部１１ｆが形成されている。回転保持部１１ｆには、断面略円弧状で障子２の長手方向略全長に渡る回転部材１１ｅが、揺動自在に保持されている。回転部材１１ｅは、障子２の開閉動作に伴い回転保持部１１ｆを中心に揺動し、その揺動によって金属下枠１１ａの室内凹部１１ｇから出没自在となっている。図２では、障子２は閉じた状態であり、このとき回転部材１１ｅは室内凹部１１ｇの外に出た状態となっている。
【００２６】
回転部材１１ｅは、障子２が閉じた際には図２のように室内凹部１１ｇから出て障子２の下端部と下枠１１との隙間を塞ぎ、サッシの気密性及び水密性を高くするものである。一方で、回転部材１１ｅは障子２が開いた際には室内凹部１１ｇ内に納まるので、サッシの室内外方向における移動を阻害することがないようにすることができる。
【００２７】
枠体１の室内側には、網戸３が設置される。網戸３を保持すると共に左右方向に案内するため、上枠１０の室内側に配置される額縁材５には、上網戸レール部材３０が設けられ、下枠１１の室内側に配置される床材４には、下枠１１に取付けられる下アングル部材１５を介して下網戸レール部材３１が設けられる。下アングル部材１５と下網戸レール部材３１の構成については後で詳述する。また、縦枠１２の室内側に配置される額縁材５には、網戸３を左右端部で保持する網戸保持部材３２が、左右それぞれに設けられる。
【００２８】
網戸３は、伸縮自在な網３５と、網３５の見付方向内側端部に上下方向に渡り設けられる先端部材３６とからなっている。網戸３はサッシの左右にそれぞれ設けられ、網３５の見付方向外側端部が網戸保持部材３２に保持され、先端部材３６は左右で互いに向かい合って配置されている。
【００２９】
網３５は、左右方向において、固定された網戸保持部材３２から枠体１の左右方向中央位置近傍まで伸びる長さを有しており、左右の先端部材３６は枠体１の左右方向中央位置で突き合わせることができ、この状態でサッシの開口全域は網戸３で塞がれる。すなわち、網戸３を閉めた状態とすることができる。一方で、先端部材３６を網戸保持部材３２の近傍に位置させることで、網３５は網戸保持部材３２内に納められ、この状態ではサッシが塞がれていない状態、すなわち網戸３を開けた状態とすることができる。
【００３０】
図２に示すように、上網戸レール部材３０は、断面略コ字状をなすように形成されていて、網戸３の上辺を案内する上案内溝部３０ａを構成している。上案内溝部３０ａ内には、室内外２つの引っ掛け部３０ｃを有する内側案内部材３０ｂが設けられる。上網戸レール部材３０の外周面は、上辺の額縁材５の内周面に当接しており、内周側からビス止めされることにより、上網戸レール部材３０が固定されている。
【００３１】
網戸３は、先端部材３６の上端部が、上網戸レール部材３０の上案内溝部３０ａの内面に略適合する形状に形成されており、先端部材３６が上網戸レール部材３０の長手方向に案内される。また、網３５には、上端の長手方向複数箇所にフック部材３５ａが取付けられている。このフック部材３５ａを内側案内部材３０ｂの引っ掛け部３０ｃに引っ掛けていることで、網３５の上端部を支持しており、網戸３の開閉に伴い網３５を円滑に伸縮できるようにしている。
【００３２】
網戸３の下部の構成につき、より詳細に説明する。図４には、図２のうち網戸３の下部付近拡大図を示している。図４では網戸３を破線にて示している。下アングル部材１５は、前述のように下枠固定部１５ａと懸架部１５ｂ及び床固着部１５ｃからなっている。懸架部１５ｂの室内側端部は、床材４の室外端面位置であり、それより室内側が床固着部１５ｃとして連続的に形成されている。
【００３３】
床固着部１５ｃは、室内外方向中央位置に２つの凸状に形成された部分を有するレール固定部１５ｄを備えている。レール固定部１５ｄには、網戸３を案内する下網戸レール部材３１が取付固定される。下網戸レール部材３１は、網戸３を構成する先端部材３６の下端に設けられる戸車３６ａを載置させてこれを走行自在とする平面状の上面部３１ａと、上面部３１ａから下方に突出する短い脚部３１ｂとを有している。
【００３４】
下網戸レール部材３１は、脚部３１ｂが床固着部１５ｃのレール固定部１５ｄを跨ぐように配置され、レール固定部１５ｄの凸部分が上面部３１ａを支持する。さらに、下網戸レール部材３１の上面部３１ａから下アングル部材１５に向かってビス１６が打たれており、このビス１６が床材４まで達することで、下網戸レール部材３１及び下アングル部材１５が共に固定される。
【００３５】
このように、下アングル部材１５は、懸架部１５ｂと床固着部１５ｃが連続的な板状に形成され、床固着部１５ｃのレール固定部１５ｄも懸架部１５ｂの厚み範囲内で凹凸が形成されているだけであり、さらに下網戸レール部材３１がレール固定部１５ｄを跨ぐ平坦な部材で構成されている。床材４の上面から最も高い位置にあるのは、下網戸レール部材３１の上面部３１ａであるが、下アングル部材１５の構成によって段差を最低限に抑えることができる。よって、下網戸レール部材３１がサッシの室内外に移動する人や車椅子の障害とならないようにすることができ、バリアフリーに対応したサッシとすることができる。
【００３６】
また、網戸３の固定位置に関し、下枠１１に固定される下アングル部材１５に、下網戸レール部材３１を固定するレール固定部１５ｄが一体的に形成されているので、下網戸レール部材３１の位置が枠体１を基準として確実に定められる。下網戸レール部材３１の位置決め及び固定は、下アングル部材１５によってなされるため、下網戸レール部材３１の取付けや位置決めのための部品が必要なく、部品点数を削減することが可能である。また、位置決めのために見付方向内側に突出する部分もないので、サッシの開口幅を狭めることもないようにすることができる。さらには、下枠１１から連続する下アングル部材１５に下網戸レール部材３１が固定されるので、床材４に直接、下網戸レール部材３１を設ける場合に比べて意匠性も良好にすることができる。
【００３７】
上網戸レール部材３０については、図２に示されているように、上枠１０の上アングル部１０ｃの室内端部に上網戸レール部材３０の室外面を当接させるようにして、位置が定まっている。上アングル部１０ｃの室内端部位置は、下アングル部材１５の懸架部１５ｂにおける室内端部位置、すなわち床材４の室外端面位置と室内外方向において同位置となっており、この位置を基準とすることで、上網戸レール部材３０を下網戸レール部材３１の設置位置に対応した位置に確実に位置決めすることができる。
【００３８】
網戸保持部材３２についても、図３に示されているように、縦枠１２の縦アングル部１２ｃの室内端部に網戸保持部材３２の室外面を当接させるようにして、位置が定まっている。縦アングル部１２ｃの室内端部は、上アングル部１０ｃの室内端部位置と室内外方向において同位置、すなわち床材４の室外端面位置と室内外方向において同位置となっており、この位置を基準とすることで、網戸保持部材３２を下網戸レール部材３１の設置位置に対応した位置に確実に位置決めすることができる。
【００３９】
このように、網戸３を案内または保持する上網戸レール部材３０と下網戸レール部材３１及び網戸保持部材３２について、それぞれ枠体１を基準として位置が定まるので、網戸３を設置する際の位置決め作業を用意にすることができる。
【００４０】
本実施形態では、懸架部１５ｂ及び床固着部１５ｃが連続的に伸びる下アングル部材１５を用いているため、下アングル部材１５が室内外方向に長い。このため、枠材を輸送する際に輸送効率を低下させたり、あるいは現場での施工の際に、他の部材の取付作業を阻害することがある。これらを防止するため、床固着部１５ｃは折り曲げることができるように形成されている。
【００４１】
図５には、下アングル部材１５の断面図を示している。図５（ａ）は施工後の下アングル部材１５の断面図であり、図５（ｂ）は輸送時など施工前の下アングル部材１５の断面図である。図５（ａ）に示すように、床固着部１５ｃは、室内側部１５ｅと室外側部１５ｆとが連結部１５ｇにより一体化されてなる構成を有している。室内側部１５ｅと室外側部１５ｆは、硬質樹脂からなり、連結部１５ｇは軟質樹脂からなっている。このため、床固着部１５ｃは連結部１５ｇの位置で折り曲げ自在となっている。
【００４２】
図５（ｂ）に示すように、床固着部１５ｃが連結部１５ｇで折り曲げられている際には、床固着部１５ｃの先端部と懸架部１５ｂとをテープ３３などで止めておく。これにより、下アングル部材１５を短く収納した状態とすることができるので、輸送効率の低下を防止することができる。また、現場での施工の際に、枠体１の取付後に床材４を建物躯体に取付ける手順であった場合に、床材４を下アングル部材１５の下部に対し容易に挿入することができ、作業性を向上させることができる。
【００４３】
床固着部１５ｃは、図４に示されているように、連結部１５ｇの位置でビス１６により固定がなされている。前述のように、連結部１５ｇは軟質樹脂からなるため、ビス１６を挿通させるための下孔を下アングル部材１５に形成する必要がない。これによって、作業性をより向上させることができる。
【００４４】
以上、本発明の実施形態について説明したが、本発明の適用は本実施形態には限られず、その技術的思想の範囲内において様々に適用されうるものである。例えば、本実施形態では全開口サッシに対し本発明を適用したものにつき示したが、窓の種類はこれに限られず、網戸が枠体の室内側に配置されるサッシであれば、本発明を適用することができる。
【符号の説明】
【００４５】
１    枠体
２    障子
３    網戸
４    床材
５    額縁材
１０    上枠
１０ｃ  上アングル部
１１    下枠
１１ｃ  室内側面
１２    縦枠
１２ｃ  縦アングル部
１５    下アングル部材
１５ａ  下枠固定部
１５ｂ  懸架部
１５ｃ  床固着部
１５ｄ  レール固定部
１５ｅ  室内側部
１５ｆ  室外側部
１５ｇ  連結部
３０    上網戸レール部材
３１    下網戸レール部材
３２    網戸保持部材
３５    網
３６    先端部材
【図１】
2012214972.tif 000003
【図２】
2012214972.tif 000004
【図３】
2012214972.tif 000005
【図４】
2012214972.tif 000006
【図５】
2012214972.tif 000007